(57)【要約】【課題】表示内容やキーの数が少なく、安価で操作性のよい調理器の表示装置を提供する。【解決手段】パネル１０を備えた調理器２の表示装置１において、各種表示を行う液晶表示部５と、機械的スイッチからなる機能スイッチ６と、液晶表示部６以外の場所に配置された調理に必要な動作を行わせるタッチスイッチ１１と、該タッチスイッチ１１の背後に設けられたバックライト９とを備える。機能スイッチ６の操作をしないときはタッチスイッチ１１を隠蔽し、機械的スイッチ６を操作するとバックライト９を点灯しタッチスイッチ１１を浮かび上がらせる。【選択図】図２
2008264073.tif 000002
【特許請求の範囲】
【請求項１】
パネルを備えた調理器の表示装置において、
各種表示を行う液晶表示部と、
機械的スイッチからなる機能スイッチと、
前記液晶表示部以外の場所に配置され調理に必要な動作を行わせるタッチスイッチと、
該タッチスイッチの背後に設けられたバックライトとを備え、
前記機能スイッチの操作をしないときは前記タッチスイッチを隠蔽し、前記機能スイッチを操作すると前記バックライトを点灯し前記タッチスイッチを浮かび上がらせることを特徴とする調理器の表示装置。
【請求項２】
前記機能スイッチは、調理に最小限必要な動作を行わせる機械的スイッチからなる調理スイッチと別個に設けたことを特徴とする請求項１に記載の調理器の表示装置。
【請求項３】
前記機能スイッチは、調理に最小限必要な動作を行わせる機械的スイッチからなる調理スイッチと兼用することを特徴とする請求項１に記載の調理器の表示装置。
【請求項４】
前記調理器が炊飯器である場合に、前記調理に最小限必要な動作を行わせる機械的スイッチからなる調理スイッチは、炊飯スイッチ及び取消スイッチを少なくとも含むことを特徴とする請求項２又は３に記載の調理器の表示装置。
【請求項５】
前記タッチスイッチは前記機能スイッチが操作されたときに機能することを特徴とする請求項１から４のいずれかに記載の調理器の表示装置。
【請求項６】
前記パネルの表面を３次元形状に形成し、
前記パネルの裏面に前記表面の３次元形状に近似する円筒面からなるタッチスイッチ取付面を形成し、
当該タッチスイッチ取付面に前記タッチスイッチを貼り付けたことを特徴とする請求項１から５のいずれかに記載の調理器の表示装置。
【請求項７】
前記パネルの表面を３次元形状に形成し、
前記パネルの裏面に、少なくとも２つ以上の平面からなるタッチスイッチ取付面を形成し、
当該タッチスイッチ取付面に前記タッチスイッチを貼り付けたことを特徴とする請求項１から５のいずれかに記載の調理器の表示装置。
【請求項８】
前記パネルと当該パネルが取り付けられる調理器の被取付部材との間に、前記タッチスイッチを包囲する両面テープを介在させたことを特徴とする請求項１から７のいずれかに記載の調理器の表示装置。
【発明の詳細な説明】
【技術分野】
【０００１】
本発明は炊飯器、自動製パン機、電磁調理器等の調理器の表示装置に関する。
【背景技術】
【０００２】
従来、調理器の一例である炊飯器の表示装置は、図９に示すように、液晶表示部と複数の機械的キースイッチが設けられ、調理器の高機能化に伴い、液晶表示部には多種多様な表示が行われ、キースイッチの数も増加している。この表示内容やキースイッチには通常の炊飯では全く必要としないものがある。このため、表示やキースイッチが多すぎて、操作性が悪くなっていた。
【０００３】
そこで、特許文献１には、液晶表示素子と、時刻合わせ、炊飯、保温、取消し等のキースイッチと、液晶表示素子の“０〜９”と“時”“分”を表示する部分の前面に透明のタッチスイッチとを設けて、時刻合わせキーが押されると液晶表示素子に“０〜９”と“時”“分”を表示し、これらの表示する部分が押されるとタッチスイッチが動作して予約時刻が設定されるようにしたものが提案されている。
【０００４】
また、特許文献２には、液晶表示部にドットマトリックス表示部、セグメント表示部、及び“炊飯/再加熱”等の複数のタッチキーを設けた調理器が提案されている。
【０００５】
さらに、特許文献３では、多機能表示パターンと単機能表示パターンを切り換えて表示する液晶タッチパネルからなる操作パネルを設けた電気炊飯器が提案されている。
【特許文献１】特開平１−１１５３１２号公報
【特許文献２】特開２００４−２２２９３６号公報
【特許文献３】特開２００１―２５８７２４号公報
【発明の開示】
【発明が解決しようとする課題】
【０００６】
しかし、いずれの特許文献のものでも、液晶表示部にタッチスイッチが設けられているため、液晶表示部にタッチパネルを設けるためのスペースが必要であり、液晶表示部が大型化し、コストが高いうえ、表示部とタッチスイッチの混同による誤操作が生じやすいという問題があった。
【０００７】
本発明は、かかる従来の問題点に鑑みてなされたもので、表示内容やキーの数が少なく、安価で操作性のよい調理器の表示装置を提供することを課題とする。
【課題を解決するための手段】
【０００８】
前記課題を解決するために、請求項１の発明は、
パネルを備えた調理器の表示装置において、
各種表示を行う液晶表示部と、
機械的スイッチからなる機能スイッチと、
前記液晶表示部以外の場所に配置され調理に必要な動作を行わせるタッチスイッチと、
該タッチスイッチの背後に設けられたバックライトとを備え、
前記機能スイッチの操作をしないときは前記タッチスイッチを隠蔽し、前記機能スイッチを操作すると前記バックライトを点灯し前記タッチスイッチを浮かび上がらせるようにしたものである。
【０００９】
請求項１の構成によれば、機能スイッチの操作をしないときはタッチスイッチは隠蔽され、機能スイッチを操作するとバックライトが点灯しタッチスイッチが浮かび上がるので、煩雑なスイッチ類が見えず、すっきりとした外観が得られるうえ、誤操作がなくなる。
【００１０】
請求項２に記載のように、前記機能スイッチは、調理に最小限必要な動作を行わせる機械的スイッチからなる調理スイッチと別個に設けることができる。同じメニュー等で引き続き調理を行う場合、調理スイッチが別個に設けられているので、機能スイッチを操作することなく、調理スイッチだけの簡単な操作で調理を開始することができる。また、機能スイッチという一つの独立したスイッチを設けることにより、誤操作を防止することができる。
【００１１】
また、請求項３に記載のように、前記機能スイッチは、調理に最小限必要な動作を行わせる機械的スイッチからなる調理スイッチと兼用することができる。例えば、前記機能スイッチの１回押しの操作により前記バックライトを点灯し、長押し又は複数回押しの操作により調理に最小限必要な動作を行わせることができるし、前記機能スイッチの長押し又は複数回押しの操作により前記バックライトを点灯し、１回押しの操作により調理に最小限必要な動作を行わせることもできる。さらに、前記機能スイッチの１回押しの操作により前記バックライトを点灯し、該バックライトの点灯中に前記機能スイッチの１回押しの操作により調理に最小限必要な動作を行わせることができる。
【００１２】
請求項４に記載のように、前記調理器が炊飯器である場合に、前記調理に最小限必要な動作を行わせる機械的スイッチからなる調理スイッチは、炊飯スイッチ及び取消スイッチを少なくとも含むことが好ましい。炊飯スイッチ及び取消スイッチがタッチスイッチでなく機械的スイッチであるため、お手入れ等において布や手が触れて誤って炊飯又は取消が行われることが少なくなる。
【００１３】
請求項５に記載のように、前記タッチスイッチは前記機能スイッチが操作されたときに機能することが好ましい。このようにすることで、使用者が調理器をお手入れしたり移動するときに布や手が触れて誤動作が生じることがない。
【００１４】
請求項６に記載のように、前記パネルの表面を３次元形状に形成し、
前記パネルの裏面に前記表面の３次元形状に近似する円筒面からなるタッチスイッチ取付面を形成し、
当該タッチスイッチ取付面に前記タッチスイッチを貼り付けることが好ましい。
請求項７に記載のように、前記タッチスイッチ取付面は、円筒面に代えて、少なくとも２つ以上の平面で形成してもよい。
このようにすることで、タッチスイッチと円筒面または平面との貼り付け状態が完全になり、調理器の予熱から加熱、保温、終了までの熱履歴で電極が剥がれにくくなる。
【００１５】
請求項８に記載のように、前記パネルと当該パネルが取り付けられる調理器の被取付部材との間に、前記タッチスイッチを包囲する両面テープを介在させることが好ましい。これにより、タッチスイッチに水が侵入することがなく安全である。
【発明の効果】
【００１６】
本発明によれば、パネルを備えた調理器の表示装置において、パネルに、各種表示を行う液晶表示部と、調理に必要な操作を行う機械的スイッチと、液晶表示部以外の場所に配置された調理に必要な操作を行うタッチスイッチと、該タッチスイッチの背後に設けられたバックライトとを備え、機械的スイッチの操作をしないときはタッチスイッチを隠蔽し、機械的スイッチを操作するとバックライトを点灯しタッチスイッチを浮かび上がらせるようにしたので、煩雑なスイッチ類が見えず、すっきりとした外観が得られるうえ、誤操作がなくなるという効果を有している。
【発明を実施するための最良の形態】
【００１７】
以下、本発明の実施の形態を添付図面に従って説明する。
【００１８】
図１は、本発明に係る表示装置１を備えた炊飯器２の蓋を取り外した状態を示す。炊飯器２の表示装置１は、炊飯器２の内鍋収容部３の周囲に設けた肩体４の前側部分に設けられている。表示装置１は、図２に示すように、肩体４に液晶表示画面を有する液晶表示部５と、機能スイッチ６、取消スイッチ７及び炊飯スイッチ８と、バックライト９とを取り付け、パネル１０にタッチスイッチ１１を設けて、該パネル１０を肩体４に取り付けたものである。
【００１９】
液晶表示部５は、肩体４のパネル被取付部４ａの中央に設けられている。液晶表示部５の表示画面には、セグメント表示及びドットマトリクス表示で炊飯器の操作に必要な表示が行われる。一例として、表示画面には、図７（ａ）に示すように、時刻表示、「白米」の表示、「炊飯メニュー」の表示、「白米急速」、「炊きこみ」、「すしめし」、「おかゆ」、「おこわ」、「玄米」、「玄米活性」の各メニュー表示、「圧力低」及び「圧力高」の表示、「しゃっきり」、「ふつう」、「もちもち」の各硬さ表示、４段階の圧力表示が行われる。
【００２０】
図２に戻ると、機能スイッチ６と取消スイッチ７は、タクトスイッチからなり、液晶表示部５の左側の肩体４に上下に併設されている。炊飯スイッチ８もタクトスイッチからなり、液晶表示部５の右側の肩体４に配設されている。これらの機械的スイッチ６，７，８は、炊飯に必要な最小限のスイッチである。
【００２１】
バックライト９は、液晶表示部５の下側の肩体４に列設された９個のＬＥＤからなり、後述するパネル１０のタッチスイッチ１１の背後に位置している。
【００２２】
前記液晶表示部５、機能スイッチ６、取消スイッチ７、炊飯スイッチ８及びバックライト９は、図３に示すように、表示基板１２に実装され、肩体４内に取り付けられている。
【００２３】
タッチスイッチ１１は、静電容量型のもので、図４に示すように、フィルム１３上に７個の円形の個別電極部１４とその周囲を囲む共通電極１５とを備え、各個別電極１４と共通電極１５の間の静電容量の変化によって各個別電極１４に対応するパネル１０の表面に指が接触したことを検出するものである。タッチスイッチ１１は両面テープによってパネル１０の後述するタッチスイッチ取付面１８に貼り付けられている。
【００２４】
パネル１０は、前記肩体４のパネル被取付部４ａに取り付けられるもので、透明樹脂からなるパネル本体１６と該パネル本体１６に一体成形したフィルム１７とからなっている。パネル本体１６の表面及び裏面は三次元曲面であり、図５に示すように、裏面の一部、すなわち、前記タッチスイッチ１１が取り付けられる部分は三次元曲面に近似する円筒面からなるタッチスイッチ取付面１８となっている。パネル１０の左端部には、前記機能スイッチ６及び取消スイッチ７のスペーサ６ａが収容される開口部１９が形成され、同様にパネル１０の右端部には、前記炊飯スイッチ８のスペーサ８ａが収容される開口部２０が形成されている。
【００２５】
フィルム１７は、透明樹脂製で、中央には前記液晶表示部５が見えるように窓孔２１が打ち抜きで形成されている。フィルム１７の裏面には、前記機能スイッチ６及び取消スイッチ７の位置に対応する円形部分２２ａと炊飯スイッチ８の位置に対応する円形部分２２ｂを除き、炊飯器本体２と同色の第１印刷層２３が設けられ、該第１印刷層２３の上（図４においては第１印刷層２３の下面）にさらに黒色の第２印刷層２４が設けられている。第２印刷層２４には、「保温選択」、「無洗米」、「炊飯メニュー」、「健康メニュー」、「▲」、「時刻合わせ」、「▼」、「予約」の文字・記号が打ち抜きで表示されている。これらの文字・記号は前記タッチスイッチ１１の共通電極１５の位置に対応している。
【００２６】
次に、以上の構成からなる表示装置１２の組立手順を説明すると、前述のように、パネル本体１６とフィルム１７を一体成形してパネルを形成し、該パネル１０の裏面のタッチスイッチ取付面１８にタッチスイッチ１１を両面テープで貼り付ける。このタッチスイッチ取付面１８がパネル１０の表面に合わせて３次元曲面であれば、この三次元曲面に沿って両面テープや電極が密着するように押さえ付けなければならないので、両面テープの破損、電極の断線やずれが生じるおそれがある。しかし、本願発明のタッチスイッチ取付面１８は、円筒面からなるので、パネル１０の表面の３次元曲面に比べて密着度が高く、両面テープの破損、電極の断線やずれが生じることなく、確実に取り付けることができ、炊飯器２の予熱、炊飯、保温、終了までの熱履歴により剥がれることもなくなる。
【００２７】
このようにタッチスイッチ１１をパネル１０に取り付けた後、図６に示すように、タッチスイッチ１１の周囲を囲むように（本実施例では液晶表示部５とタッチスイッチ１１の間に隙間が少ないので、タッチスイッチ１１と液晶表示部５用の窓孔２１も含めて囲んでいる）、両面テープ２５を貼り付ける。そして、このパネル１０を炊飯器２の肩体４のパネル被取付部４ａに被せて、両面テープ２５で接触する。これにより、タッチスイッチ１１は、パネル１０と肩体４の間に挟持され、周囲を両面テープ２５でシールされるので、外部からの水の侵入を防止することができる。
【００２８】
次に表示装置１の動作について説明する。
【００２９】
炊飯器２の電源を投入した状態では、図７（ａ）に示すようにタッチスイッチ１１用の文字・記号がパネル１０の裏面の第１印刷層２３（炊飯器本体と同色）によって隠されている。炊飯の準備ができて、機能スイッチ６を押すと、タッチスイッチ１１が有効になるとともに、バックライト９が点灯する、バックライト９の光は、パネル１０の裏面の第２印刷層２４の打ち抜き文字を通過し、さらに第１印刷層２３とパネル本体１６を透過して外部に放射される結果、図７（ｂ）に示すように、タッチスイッチ１１用の文字・記号が浮かび上がる。このため、使用者は、そこで、タッチスイッチ１１用の文字・記号部分に触れると、その部分に対応するタッチスイッチ１１がオンする。
【００３０】
具体的には、「保温選択」の文字部分に触れると、それに対応するタッチスイッチ１１がオンして、「標準保温」と「おやすみ保温」が液晶表示部５に表示され、「保温選択」の文字部分を繰り返し触れることで、「標準保温」と「おやすみ保温」のいずれかを選択することができる。
「無洗米」の文字部分に触れると、液晶表示部５に「無洗米」の文字が表示されて「無洗米」のメニューを選択することができ、再度触れると、液晶表示部５に「無洗米」の文字が消え、「無洗米」を非選択とすることができる。
「炊飯メニュー」の文字部分に触れると、液晶表示部５に「白米急速」、「炊きこみ」、「すしめし」、「おかゆ」、「おこわ」、「玄米」、「玄米活性」が表示され、「炊飯メニュー」の文字部分を繰り返し触れることで、いずれかの炊飯メニューを選択することができる。また、液晶表示部５には「しゃっきり」、「ふつう」、「もちもち」も表示され、「炊飯メニュー」の文字部分を繰り返し触れることで、いずれかのもちもち度を選択することができる。
「健康メニュー」の文字部分に触れると、液晶表示部５に「発芽コース」、「豆腐」、「ヨーグルト」、「温泉たまご」が表示され、「炊飯メニュー」の文字部分を繰り返し触れることで、いずれかの健康メニューを選択することができる。
「予約」、「▲」、「▼」の文字・記号部分に触れることで、食べたい時刻に自動で炊き上げるタイマー予約を設定することができる。
さらに、「時刻合わせ」、「▲」、「▼」の文字・記号部分に触れることで、現在時刻を合わせることができる。
【００３１】
前記予約操作は、予約時間が予め記憶されているとすると、まず機能スイッチ６を押してタッチスイッチ１１を有効にした後、タッチスイッチ１１の「予約」の文字部分を押し、さらに炊飯スイッチ８を押すことで、予約炊飯が開始される。これでは従来に比べて機能スイッチ６を押す分だけ操作回数が多い。そこで、炊飯スイッチ８を長押しすることで、予め記憶されている予約時間の予約炊飯が開始されるようにしてもよい。これにより、操作回数が大幅に減少する。
【００３２】
前記タッチスイッチ１１を使用したメニュー選択や予約が終了して、炊飯スイッチ８を押すと、炊飯が開始される。炊飯中はタッチスイッチ１１は無効となる。炊飯動作中は、もはやタッチスイッチ１１は操作する必要がないので、パネル１０に隠蔽し、誤動作を回避する。また、タッチスイッチ１１を操作した後、一定時間が過ぎると、タッチスイッチ１１のバックライト９が消灯し、タッチスイッチ１１は無効となる。
【００３３】
以上のように、本発明の実施形態では、機能スイッチ６を押さないでそのまま通常の炊飯を行うときは、タッチスイッチ１１はパネル１０に隠され、機能スイッチ６を押して各種メニューを設定や予約設定を行うようなときは、一定時間バックライト９によりタッチスイッチ１１が浮かび上がるので、必要以上の煩雑なスイッチが見えず、外観がすっきり、誤操作の虞がない。
【００３４】
また、本発明の実施形態では、機能スイッチ６、取消スイッチ７及び炊飯スイッチ８の機械的スイッチと、タッチスイッチ１１とを併用している。仮に機械的スイッチ６，７，８がなくタッチスイッチ１１のみであれば、お手入れや移動時に布や手がパネルに触れるとタッチスイッチ１１が作動し誤動作する虞がある。しかし、本発明の実施形態では、機能スイッチ６，７，８が押されたときのみタッチスイッチ１１を有効としたので、誤動作の虞がない。
【００３５】
なお、前記実施形態では、パネル１０の裏面のタッチスイッチ取付面１８は円筒面であるが、図８に示すように、タッチスイッチ１１の２〜３の個別電極毎１４に、又は１個の個別電極１４毎に平面からなるタッチスイッチ取付面１８ａ〜１８ｄを形成してもよい。これにより、タッチスイッチ１１の貼付け時の作業性、密着度を向上することができる。
【００３６】
また、前記実施形態では、機能スイッチ６と取消スイッチ７の機械的スイッチを個別に設けたが、１つの機械的スイッチで両者を兼用することもできる。すなわち、取消スイッチ７を廃止し、１つの機械的スイッチ、例えば機能スイッチ６のみを設け、該機能スイッチ６を通常通り１回押すと機能モードへ移行し、長押し（２秒程度）又は２回押しで取消モードに移行するように構成する。例えば、保温モードで、機能スイッチ６を長押しすると、取消モードに移行することができる。同様に、機能スイッチ６の機能を炊飯スイッチ８又は取消スイッチ７に持たせることも可能である。すなわち、前記実施形態において、機能スイッチ６を廃止し、炊飯スイッチ８又は取消スイッチ７を通常通り１回押すとそれぞれ炊飯モード、取消モードに移行し、長押し（２秒程度）又は２回押しで機能モードに移行するように構成する。あるいは、炊飯スイッチ８のみを設け、該炊飯スイッチ８を通常通り１回押すと機能モードへ移行してバックライトを点灯し、このバックライトの点灯中に再度炊飯スイッチ８を１回押すと炊飯モードに移行するように構成する。このようにすることで、１つの機械的スイッチで２つの機能を兼用することができ、部品点数を削減し、またパネルのデザインの自由度を向上することができる。
【図面の簡単な説明】
【００３７】
【図１】本発明に係る表示装置を備えた炊飯器の本体を示す斜視図。
【図２】パネルを取り外した状態を示す図１の炊飯器の分解斜視図。
【図３】図１のＩＩＩ−ＩＩＩ線拡大断面図。
【図４】図１の表示装置のパネル分解図。
【図５】図４のＶ−Ｖ線拡大断面図。
【図６】炊飯器の肩部にパネルを取り付ける状況を示す平面図。
【図７】機能スイッチ非操作時にタッチスイッチが隠された状態（ａ）と機能スイッチ操作時にタッチスイッチが浮かび上がった状態（ｂ）を示す表示装置の正面図。
【図８】パネルの他の実施形態を示す斜視図。
【図９】従来の表示装置のパネル配置を示す正面図。
【符号の説明】
【００３８】
１  表示装置
２  炊飯器
４ａ  パネル被取付部
６  機能スイッチ
７  取消スイッチ
８  炊飯スイッチ
９  バックライト
１０  パネル
１１  タッチスイッチ
１８  タッチスイッチ取付面
２５  両面テープ
【図１】
2008264073.tif 000003
【図２】
2008264073.tif 000004
【図３】
2008264073.tif 000005
【図５】
2008264073.tif 000006
【図６】
2008264073.tif 000007
【図８】
2008264073.tif 000008
【図９】
2008264073.tif 000009
【図４】
2008264073.tif 000010
【図７】
2008264073.tif 000011